【手続補正書】
【提出日】令和3年9月21日(2021.9.21)
【手続補正１】
【補正対象書類名】特許請求の範囲
【補正対象項目名】全文
【補正方法】変更
【補正の内容】
【特許請求の範囲】
【請求項１】
創傷に陰圧を適用する装置であって、
ハウジングと、
前記ハウジングによって支持され、流体流路を介して創傷上に配置された創傷被覆材に結合し、前記創傷に陰圧を提供するように構成された圧力源と、
前記ハウジングによって支持され、前記圧力源を動作させて前記創傷に陰圧を提供するように構成されたコントローラと、
前記ハウジングによって支持され、識別データを電子デバイスに提供するように構成された出力デバイスであって、前記識別データが、前記ハウジングに関連付けられたラベルまたは前記ハウジングによって支持された１以上の構成要素にリモートアクセスするために、前記電子デバイスによって使用可能である、出力デバイスと、
を備える、装置。
【請求項２】
前記識別データが、コンピュータネットワークを介してリモートデータベースから前記ラベルにアクセスするために、前記電子デバイスによって使用可能である、請求項１に記載の装置。
【請求項３】
前記出力デバイスが、前記識別データを、前記識別データの光学的で機械可読な表現として提示するように構成されたディスプレイを含む、請求項１または２に記載の装置。
【請求項４】
前記識別データの前記光学的で機械可読な表現が、二次元バーコードを含む、請求項３に記載の装置。
【請求項５】
前記出力デバイスが、前記識別データを前記電子デバイスに無線で送信するよう構成されたトランスミッタを含む、請求項１〜４のいずれか一項に記載の装置。
【請求項６】
前記電子デバイスと組み合わせた、請求項１〜５のいずれか一項に記載の装置。
【請求項７】
前記電子デバイスが、前記出力デバイスから前記識別データを受信し、前記識別データに従って前記ラベルの要求を送信するアプリケーションを実行するように構成される、請求項６に記載の装置。
【請求項８】
前記電子デバイスが、前記出力デバイスから前記識別データを受信し、コンピュータネットワークを介して、前記識別データに従って前記ラベルの要求し、ディスプレイに前記ラベルをユーザに提示し、前記電子デバイスの前記ユーザが前記コントローラに前記圧力源を動作させて前記創傷被覆材に陰圧を提供するよう命令することを可能にするアプリケーションを実行するように構成される、請求項６に記載の装置。
【請求項９】
前記電子デバイスが、前記ディスプレイの前記ラベルの提示の確認または検証を送信するアプリケーションを実行するように構成される、請求項８に記載の装置。
【請求項１０】
前記コントローラが、前記ハウジングの場所を決定し、前記場所に従って複数の識別データから前記識別データを自動的に選択するように構成される、請求項１〜９のいずれか一項に記載の装置。
【請求項１１】
前記コントローラは、前記出力デバイスが前記識別データを前記電子デバイスに提供するまで、前記圧力源を不活性化するように構成される、請求項１〜１０のいずれか一項に記載の装置。
【請求項１２】
前記電子デバイスが、携帯通信ネットワークを介して通信するように構成されたモバイルパーソナルコンピュータを含む、請求項１〜１１のいずれか一項に記載の装置。
【請求項１３】
創傷療法システムを動作させる方法であって、
創傷療法デバイスのメモリデバイスからの識別データを取得する工程と、
前記識別データを前記創傷療法デバイスから電子デバイスに出力する工程と、
前記電子デバイスによって、前記識別データを受信する工程と、
前記電子デバイスによって、前記識別データからの要求を生成する工程であって、前記要求が、前記創傷療法デバイスに関連付けられたラベルにアクセスする要求である、工程と、
コンピュータネットワークを介して前記電子デバイスによってリモートデータベースに前記要求を送信する工程と、
前記コンピュータネットワークを介して前記ラベルを受信する工程と、
前記電子デバイスのユーザへの提示のための前記ラベルを出力する工程と、
を含む、方法。
【請求項１４】
前記コンピュータネットワークを介して前記出力の確認または検証を送信する工程をさらに含む、請求項１３に記載の方法。
【請求項１５】
前記識別データを前記出力する工程が、前記陰圧創傷療法デバイスのディスプレイに、前記識別データを、前記識別データの光学的で機械可読な表現として提示する工程を含み、
前記識別データを前記受信する工程が、前記識別データを前記電子デバイスのイメージセンサによって受信する工程を含む、請求項１３または１４に記載の方法。
【請求項１６】
前記識別データを前記出力する工程が、前記陰圧創傷療法デバイスのトランスミッタによって前記識別データを無線で送信する工程を含み、
前記識別データを前記受信する工程が、前記識別データを前記電子デバイスのレシーバによって受信する工程を含む、請求項１３〜１５のいずれか一項に記載の方法。
【請求項１７】
前記ラベルを前記出力する工程が、前記ラベルを前記電子デバイスのディスプレイに表示する工程を含む、請求項１３〜１６のいずれか一項に記載の方法。
【手続補正２】
【補正対象書類名】明細書
【補正対象項目名】０１２８
【補正方法】変更
【補正の内容】
【０１２８】
本開示の範囲は、本節におけるまたは本明細書の他の箇所における好ましい実施形態の特定の開示によって制限されることを意図するものではなく、本節においてまたは本明細書の他の箇所において提示されているか、またはこの後に提示される特許請求の範囲によって定義され得る。本特許請求の範囲の言い回しは、本特許請求の範囲で用いられている言い回しに基づいて広い意味で解釈されるべきであり、本明細書で記載されている例または本出願の手続きの間に記載される例に限定されるものではなく、それらの例は非排他的なものとして解釈されるべきである。
［付記項１］
創傷監視システムであって、
創傷と接触して位置決めされるように構成された創傷被覆材であって、色を測定するように構成された光学センサを備える、創傷被覆材と、
前記創傷被覆材の底面上に位置決めされたｐＨ感受性材料であって、前記創傷のｐＨの変化に応答して色を変化させるように構成された、ｐＨ感受性材料と、を備え、
前記光学センサが、前記ｐＨ感受性材料の前記色変化の検出に基づいて、前記創傷の前記ｐＨを検出するようにさらに構成されている、創傷監視システム。
［付記項２］
前記ｐＨ感受性材料が、親水性ポリマー、ゲル、または発泡体を含む、付記項１に記載のシステム。
［付記項３］
前記ｐＨ感受性材料には、ｐＨ感受性要素が散在している、付記項１〜２のいずれか一項に記載のシステム。
［付記項４］
前記ｐＨ感受性要素が、不均一に分散されている、付記項３に記載のシステム。
［付記項５］
前記ｐＨ感受性要素が、均一に分散されている、付記項３に記載のシステム。
［付記項６］
前記ｐＨ感受性材料が、接着材料を含む、付記項１〜５のいずれか一項に記載のシステム。
［付記項７］
前記ｐＨ感受性材料が、ポリウレタンを含む、付記項１〜６のいずれか一項に記載のシステム。
［付記項８］
前記創傷被覆材の前記底面上に位置決めされた非ｐＨ感受性材料をさらに含み、前記非ｐＨ感受性材料が、創傷滲出液を前記ｐＨ感受性材料に誘導するように構成されている、付記項１〜７のいずれか一項に記載のシステム。
［付記項９］
前記非ｐＨ感受性材料が、親水性ポリマー、ゲル、または発泡体を含む、付記項８に記載のシステム。
［付記項１０］
前記非ｐＨ感受性材料が、前記創傷被覆材の前記底面上に１つまたは複数のチャネルとして配設されている、付記項８または９に記載のシステム。
［付記項１１］
前記１つまたは複数のチャネルが、前記ｐＨ感受性材料から前記被覆材の縁まで延在している、付記項１０に記載のシステム。
［付記項１２］
前記非ｐＨ感受性材料が、接着材料を含む、付記項８〜１１のいずれか一項に記載のシステム。
［付記項１３］
コントローラをさらに備え、前記コントローラが、前記光学センサによって測定された前記色をｐＨ値に変換するように構成されている、付記項１〜１２のいずれか一項に記載のシステム。
［付記項１４］
前記コントローラが、前記ｐＨ値の表示をユーザに提供するように構成されている、付記項１３に記載のシステム。
［付記項１５］
前記コントローラが、前記ｐＨ値を表示するようにさらに構成されている、付記項１４に記載のシステム。
［付記項１６］
基準材料をさらに含み、前記基準材料が、安定した色を維持するように構成されている、付記項１〜１５のいずれか一項に記載のシステム。
［付記項１７］
前記基準材料が、前記創傷被覆材に組み込まれている、付記項１６に記載のシステム。
［付記項１８］
創傷のｐＨを監視する方法であって、
創傷または創傷を囲む皮膚のうちの少なくとも一方を、前記創傷または前記創傷を囲む皮膚と接触して位置決めされた創傷被覆材を用いて監視することであって、前記創傷被覆材は、前記創傷のｐＨの変化に応答して色を変化するように構成されたｐＨ感受性材料と、前記ｐＨ感受性材料の色変化を検出するように構成された光学センサと、を含む、監視することと、
前記光学センサからの前記検出された色変化に基づいて、プロセッサでｐＨ値を計算することと、を含む、方法。
［付記項１９］
前記光学センサが、基準材料の色値を検出するように構成されており、前記ｐＨ感受性材料の色値を前記基準材料に正規化することをさらに含む、付記項１８に記載の方法。
［付記項２０］
前記基準材料が、安定した色を維持するように構成されている、付記項１９に記載の方法。
［付記項２１］
付記項１〜１７のいずれか一項に記載のシステムを使用する方法。
［付記項２２］
実質的に示されおよび／または記載されるような装置。
［付記項２３］
実質的に示されおよび／または記載されるような方法。
［付記項２４］
実質的に示されおよび／または記載されるようなシステム。